(57)【要約】      （修正有）【課題】モバイル通信システムにおいて、比較的低いスループットを必要とする適用例（たとえば、モノのインターネット（ＩｏＴ）適用例）をサポートするための方法、装置およびコンピュータプログラム製品を提供する。【解決手段】通信システムにおいて、デバイス２０６は、複数の信号フォーマット２１０、２１２から信号フォーマットを選択する。ここで、複数の信号フォーマットの各々は、複数のコーディングおよび変調スキームのうちのそれぞれのコーディングおよび変調スキームに対応している。そして、選択された信号フォーマットに従って基地局２０４にランダムアクセスについての要求２０８を送る。【選択図】図２
2020167704.tif 000002
【特許請求の範囲】
【請求項１】
デバイスを動作させる方法であって、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を備える、方法。
【請求項２】
前記複数の信号フォーマットの各々は、重複しない時間および周波数リソースの所定のセットにさらに対応し、
前記方法は、前記選択された信号フォーマットに対応する重複しない時間および周波数リソースの前記所定のセットから時間および周波数リソースを選択することをさらに備え、
前記要求を送ることは、前記選択された時間および周波数リソースを使用してランダムアクセスについての前記要求を送ることを備える、
請求項１に記載の方法。
【請求項３】
前記基地局から信号を受信することと、
前記信号から割振り制御メッセージを復元すること、前記割振り制御メッセージは、重複しない時間および周波数リソースの前記所定のセットに対応する前記信号フォーマットを指定する、と
をさらに備える、請求項２に記載の方法。
【請求項４】
前記複数の信号フォーマットは、時間および周波数リソースの所定のセットにさらに対応し、
前記方法は、時間および周波数リソースの前記所定のセットから時間および周波数リソースを選択することをさらに備え、
前記要求を送ることは、前記選択された時間および周波数リソースを使用してランダムアクセスについての前記要求を送ることを備える、
請求項１に記載の方法。
【請求項５】
前記デバイスと前記基地局との間の経路損失を決定することをさらに備え、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
請求項１に記載の方法。
【請求項６】
前記信号フォーマットを前記選択することは、前記デバイスの送信電力能力に基づいて前記信号フォーマットを選択することをさらに備える、
請求項５に記載の方法。
【請求項７】
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
請求項５に記載の方法。
【請求項８】
ランダムアクセスについての後続の要求を容易にするために、前記決定された経路損失を前記デバイスにおいて記憶することをさらに備える、
請求項５に記載の方法。
【請求項９】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項５に記載の方法。
【請求項１０】
前記信号フォーマットは、前記選択された信号フォーマットに対応する前記コーディングおよび変調スキームのロバストネスが、前記デバイスと前記基地局との間の前記経路損失に相応するように、選択される、
請求項９に記載の方法。
【請求項１１】
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
請求項１０に記載の方法。
【請求項１２】
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
請求項１０に記載の方法。
【請求項１３】
ランダムアクセスについての後続の要求を容易にするために、前記選択された信号フォーマットを記憶することをさらに備える、
請求項１に記載の方法。
【請求項１４】
ランダムアクセスについての前記要求は、前記基地局へモノのインターネット（ＩｏＴ）通信を送ることを容易にするために送られる、
請求項１に記載の方法。
【請求項１５】
基地局を動作させる方法であって、
デバイスからランダムアクセスについての要求を受信するために、時間および周波数リソースの所定のセットをモニタすることと、
複数の信号フォーマットの中から前記要求の信号フォーマットを決定すること、前記複数の信号フォーマットの各々は、複数のコーディングおよび変調スキームのうちのそれぞれのコーディングおよび変調スキームに対応する、と、
前記決定された信号フォーマットに基づいて前記要求を復元することと
を備える、方法。
【請求項１６】
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づく、
請求項１５に記載の方法。
【請求項１７】
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記方法は、前記決定された信号フォーマットに基づいて前記要求を復号することをさらに備える、
請求項１６に記載の方法。
【請求項１８】
前記複数の信号フォーマットのうちの少なくとも２つを使用して前記要求を復号することをさらに備え、前記要求の前記信号フォーマットは、前記要求を正常に復号する前記複数の信号フォーマットのうちの前記少なくとも２つのうちの１つによって決定される、
請求項１６に記載の方法。
【請求項１９】
前記信号フォーマットは、少なくとも、前記要求が受信される時間、または前記要求が受信されるキャリア周波数に基づいて決定される、
請求項１５に記載の方法。
【請求項２０】
前記受信された要求は、既知のプリアンブルで開始する、
請求項１５に記載の方法。
【請求項２１】
前記既知のプリアンブルは、前記複数の信号フォーマットに共通である、
請求項２０に記載の方法。
【請求項２２】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項１５に記載の方法。
【請求項２３】
ワイヤレス通信のための装置であって、
メモリと、
前記メモリに結合された少なくとも１つのプロセッサと
を備え、前記少なくとも１つのプロセッサは、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を行うように構成された、装置。
【請求項２４】
前記複数の信号フォーマットの各々は、重複しない時間および周波数リソースの所定のセットにさらに対応し、
前記少なくとも１つのプロセッサは、前記選択された信号フォーマットに対応する重複しない時間および周波数リソースの前記所定のセットから時間および周波数リソースを選択するようにさらに構成され、
前記要求を送ることは、前記選択された時間および周波数リソースを使用してランダムアクセスについての前記要求を送ることを備える、
請求項２３に記載の装置。
【請求項２５】
前記少なくとも１つのプロセッサは、
前記基地局から信号を受信することと、
前記信号から割振り制御メッセージを復元すること、ここにおいて、前記割振り制御メッセージは、重複しない時間および周波数リソースの前記所定のセットに対応する前記信号フォーマットを指定する、と
を行うようにさらに構成された、請求項２４に記載の装置。
【請求項２６】
前記複数の信号フォーマットは、時間および周波数リソースの所定のセットにさらに対応し、
前記少なくとも１つのプロセッサは、時間および周波数リソースの前記所定のセットから時間および周波数リソースを選択するようにさらに構成され、
前記要求を送ることは、前記選択された時間および周波数リソースを使用してランダムアクセスについての前記要求を送ることを備える、
請求項２３に記載の装置。
【請求項２７】
前記少なくとも１つのプロセッサは、前記デバイスと前記基地局との間の経路損失を決定するようにさらに構成され、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
請求項２３に記載の装置。
【請求項２８】
前記信号フォーマットの前記選択は、前記デバイスの送信電力能力に基づく前記信号フォーマットの選択をさらに備える、
請求項２７に記載の装置。
【請求項２９】
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
請求項２７に記載の装置。
【請求項３０】
前記少なくとも１つのプロセッサは、ランダムアクセスについての後続の要求を容易にするために、前記決定された経路損失を前記デバイスにおいて記憶するようにさらに構成された、
請求項２７に記載の装置。
【請求項３１】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項２３に記載の装置。
【請求項３２】
前記信号フォーマットは、前記選択された信号フォーマットに対応する前記コーディングおよび変調スキームのロバストネスが、前記装置と基地局との間の経路損失に相応するように、選択される、
請求項２３に記載の装置。
【請求項３３】
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
請求項３２に記載の装置。
【請求項３４】
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
請求項３２に記載の装置。
【請求項３５】
前記少なくとも１つのプロセッサは、ランダムアクセスについての後続の要求を容易にするために、前記選択された信号フォーマットを記憶するようにさらに構成された、
請求項２３に記載の装置。
【請求項３６】
ランダムアクセスについての前記要求は、前記基地局へモノのインターネット（ＩｏＴ）通信を送ることを容易にするために送られる、
請求項２３に記載の装置。
【請求項３７】
ワイヤレス通信のための装置であって、
メモリと、
前記メモリに結合された少なくとも１つのプロセッサと
を備え、前記少なくとも１つのプロセッサは、
デバイスからランダムアクセスについての要求を受信するために、時間および周波数リソースの所定のセットをモニタすることと、
複数の信号フォーマットの中から前記要求の信号フォーマットを決定することと、前記複数の信号フォーマットの各々は、複数のコーディングおよび変調スキームのうちのそれぞれのコーディングおよび変調スキームに対応する、
前記決定された信号フォーマットに基づいて前記要求を復元することと
を行うように構成された、装置。
【請求項３８】
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づく、
請求項３７に記載の装置。
【請求項３９】
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記少なくとも１つのプロセッサは、前記決定された信号フォーマットに基づいて前記要求を復号するようにさらに構成された、
請求項３８に記載の装置。
【請求項４０】
前記少なくとも１つのプロセッサは、前記複数の信号フォーマットのうちの少なくとも２つを使用して前記要求を復号するようにさらに構成され、前記要求の前記信号フォーマットは、前記要求を正常に復号する前記複数の信号フォーマットのうちの前記少なくとも２つのうちの１つによって決定される、
請求項３８に記載の装置。
【請求項４１】
前記信号フォーマットは、少なくとも、前記要求が受信される時間、または前記要求が受信されるキャリア周波数に基づいて決定される、
請求項３７に記載の装置。
【請求項４２】
前記受信された要求は、既知のプリアンブルで開始する、
請求項３７に記載の装置。
【請求項４３】
前記既知のプリアンブルは、前記複数の信号フォーマットに共通である、
請求項４２に記載の装置。
【請求項４４】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項３７に記載の装置。
【請求項４５】
デバイスであって、
複数の信号フォーマットから信号フォーマットを選択するための手段、前記複数の信号フォーマットの各々が、複数のコーディングおよび変調スキームのうちのそれぞれのコーディングおよび変調スキームに対応する、と、
前記選択された信号フォーマットに従って基地局にランダムアクセスについての要求を送るための手段と
を備えるデバイス。
【請求項４６】
前記複数の信号フォーマットの各々は、重複しない時間および周波数リソースの所定のセットにさらに対応し、
前記方法は、前記選択された信号フォーマットに対応する重複しない時間および周波数リソースの前記所定のセットから時間および周波数リソースを選択することをさらに備え、
前記要求を送ることは、前記選択された時間および周波数リソースを使用してランダムアクセスについての前記要求を送ることを備える、
請求項４５に記載のデバイス。
【請求項４７】
前記基地局から信号を受信することと、
前記信号から割振り制御メッセージを復元すること、前記割振り制御メッセージは、重複しない時間および周波数リソースの前記所定のセットに対応する前記信号フォーマットを指定する、と、
をさらに備える、請求項４６に記載のデバイス。
【請求項４８】
前記複数の信号フォーマットは、時間および周波数リソースの所定のセットにさらに対応し、
前記方法は、時間および周波数リソースの前記所定のセットから時間および周波数リソースを選択することをさらに備え、
前記要求を送ることは、前記選択された時間および周波数リソースを使用してランダムアクセスについての前記要求を送ることを備える、
請求項４５に記載のデバイス。
【請求項４９】
前記デバイスと前記基地局との間の経路損失を決定することをさらに備え、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
請求項４５に記載のデバイス。
【請求項５０】
前記信号フォーマットを前記選択することは、前記デバイスの送信電力能力に基づいて前記信号フォーマットを選択することをさらに備える、
請求項４９に記載のデバイス。
【請求項５１】
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
請求項４９に記載のデバイス。
【請求項５２】
ランダムアクセスについての後続の要求を容易にするために、前記決定された経路損失を前記デバイスにおいて記憶することをさらに備える、
請求項４９に記載のデバイス。
【請求項５３】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項４９に記載のデバイス。
【請求項５４】
前記信号フォーマットは、前記選択された信号フォーマットに対応する前記コーディングおよび変調スキームのロバストネスが、前記デバイスと前記基地局との間の前記経路損失に相応するように、選択される、
請求項５３に記載のデバイス。
【請求項５５】
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
請求項５４に記載のデバイス。
【請求項５６】
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
請求項５４に記載のデバイス。
【請求項５７】
ランダムアクセスについての後続の要求を容易にするために、前記選択された信号フォーマットを記憶することをさらに備える、
請求項４５に記載のデバイス。
【請求項５８】
ランダムアクセスについての前記要求は、前記基地局へモノのインターネット（ＩｏＴ）通信を送ることを容易にするために送られる、
請求項４５に記載のデバイス。
【請求項５９】
デバイスからランダムアクセスについての要求を受信するために、時間および周波数リソースの所定のセットをモニタするための手段と、
複数の信号フォーマットの中から前記要求の信号フォーマットを決定するための手段と、前記複数の信号フォーマットの各々が、複数のコーディングおよび変調スキームのうちのそれぞれのコーディングおよび変調スキームに対応する、
前記決定された信号フォーマットに基づいて前記要求を復元するための手段と
を備える、基地局。
【請求項６０】
前記複数の信号フォーマットの各々は、所定の周波数帯域幅にさらに対応し、
ここにおいて、それぞれの持続時間が、前記複数の信号フォーマットの各々に対応する前記それぞれのコーディングおよび変調スキームに基づく、
請求項５９に記載の基地局。
【請求項６１】
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記基地局が、前記決定された信号フォーマットに基づいて前記要求を復号するための手段をさらに備える、
請求項６０に記載の基地局。
【請求項６２】
前記複数の信号フォーマットのうちの少なくとも２つを使用して前記要求を復号するための手段をさらに備え、前記要求の前記信号フォーマットは、前記要求を正常に復号する前記複数の信号フォーマットのうちの前記少なくとも２つのうちの１つによって決定される、
請求項６０に記載の基地局。
【請求項６３】
前記信号フォーマットは、少なくとも、前記要求が受信される時間、または前記要求が受信されるキャリア周波数に基づいて決定される、
請求項５９に記載の基地局。
【請求項６４】
前記受信された要求は、既知のプリアンブルで開始する、
請求項５９に記載の基地局。
【請求項６５】
前記既知のプリアンブルは、前記複数の信号フォーマットに共通である、
請求項６４に記載の基地局。
【請求項６６】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項５９に記載の基地局。
【請求項６７】
デバイスを動作させるためのコンピュータ実行可能コードを記憶するコンピュータ可読媒体であって、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を行うためのコードを備える、コンピュータ可読媒体。
【請求項６８】
基地局を動作させるためのコンピュータ実行可能コードを記憶するコンピュータ可読媒体であって、
デバイスからランダムアクセスについての要求を受信するために、時間および周波数リソースの所定のセットをモニタすることと、
複数の信号フォーマットの中から前記要求の信号フォーマットを決定すること、前記複数の信号フォーマットの各々は、複数のコーディングおよび変調スキームのうちのそれぞれのコーディングおよび変調スキームに対応する、と、
前記決定された信号フォーマットに基づいて前記要求を復元することと
を行うためのコードを備える、コンピュータ可読媒体。
【発明の詳細な説明】
【関連出願の相互参照】
【０００１】
[0001]本出願は、それらの全体が参照により本明細書に明確に組み込まれる、２０１４年１０月９日に出願された「RANDOM ACCESS METHOD OF DEVICES WITH DIFFERENT PATH LOSS」と題する米国仮出願第６２／０６２，１２６号、および２０１４年１１月２５日に出願された「RANDOM ACCESS METHOD OF DEVICES WITH DIFFERENT PATH LOSS」と題する米国特許出願第１４／５５３，９８０号の利益を主張する。
【技術分野】
【０００２】
[0002]本開示は、一般に通信システムに関し、より詳細には、比較的低いスループットを必要とし得る適用例（たとえば、モノのインターネット（ＩｏＴ）適用例）をサポートするためのモバイル通信システムに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。
【発明の概要】
【０００５】
[0005]本開示の態様によれば、言及した規格のうちの１つまたは複数に従って動作するモバイル通信システムは、比較的低いスループットを必要とし得る適用例（たとえば、ＩｏＴ適用例）をサポートするために利用される。
【０００６】
[0006]本開示の一態様では、方法、コンピュータプログラム製品、および装置が提供される。一実施形態によれば、デバイスを動作させる方法は、複数の信号フォーマットから信号フォーマットを選択することと、複数の信号フォーマットの各々が、複数のコーディングおよび変調スキームのうちのそれぞれのコーディングおよび変調スキームに対応する、選択された信号フォーマットに従って基地局にランダムアクセスについての要求を送ることとを含む。
【０００７】
[0007]一実施形態によれば、基地局を動作させる方法は、デバイスからランダムアクセスについての要求を受信するために、時間および周波数リソースの所定のセットをモニタすることと、複数の信号フォーマットの中から要求の信号フォーマットを決定することと、複数の信号フォーマットの各々が、複数のコーディングおよび変調スキームのうちのそれぞれのコーディングおよび変調スキームに対応する、決定された信号フォーマットに基づいて要求を復元することとを含む。
【図面の簡単な説明】
【０００８】
【図１】アクセスネットワークの一例を示す図。
【図２】ランダムアクセスについての要求を送ることの一例を示す図。
【図３（ａ）】時間周波数リソース利用の例を示す図。
【図３（ｂ）】時間周波数リソース利用の例を示す図。
【図４】デバイスを動作させる方法のフローチャート。
【図５】基地局を動作させる方法のフローチャート。
【図６】例示的な装置中の異なるモジュール／手段／構成要素間のデータフローを示す概念データフロー図。
【図７】処理システムを採用する装置のためのハードウェア実装形態の一例を示す図。
【図８】例示的な装置中の異なるモジュール／手段／構成要素間のデータフローを示す概念データフロー図。
【図９】処理システムを採用する装置のためのハードウェア実装形態の一例を示す図。
【発明を実施するための形態】
【０００９】
[0017]添付の図面に関して以下に記載する発明を実施するための形態は、様々な構成を説明するものであり、本明細書で説明する概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１０】
[0018]次に、様々な装置および方法に関して電気通信システムのいくつかの態様が提示される。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課せられる設計制約に依存する。
【００１１】
[0019]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0020]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１３】
[0021]図１は、アクセスネットワーク１００の一例を示す図である。この例では、アクセスネットワーク１００は、いくつかのセルラー領域（セル）１０２に分割される。各発展型ノードＢ（ｅＮＢ）１０４は、１つまたは複数の（たとえば、３つの）セルをサポートし得る。「セル」という用語は、ｅＮＢの最小カバレージエリア、および／または特定のカバレージエリアをサービスするｅＮＢサブシステムを指すことができる。ｅＮＢ１０４は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。さらに、「ｅＮＢ」、「基地局」、および「セル」という用語は、本明細書では互換的に使用され得る。
【００１４】
[0022]基地局１０４は、デバイス１０６に（たとえば、発展型パケットコア（ＥＰＣ）への）アクセスポイントを与える。デバイス１０６の各々は、基地局１０４のうちの１つまたは複数と通信していることがある。本開示の態様によれば、デバイス１０６は、モノのインターネット（ＩｏＴ）ネットワーク中で動作するように構成されたデバイスであり得る。そのようなデバイスは、頻度が低い、および／または長さが短いデータ転送を行い得る。たとえば、特定の適用例では、デバイス１０６は、１時間ごとに１回または数時間ごとに１回、データ転送を行い得るか、あるいは特定のデータ転送において２０〜１００バイトを送り得る。
【００１５】
[0023]ＩｏＴネットワーク中のデバイス１０６の例としては、植込み型心臓モニタリング機器（heart monitoring implants）、バイオチップトランスポンダ（biochip transponders）、キッチン器具に設置された通信デバイス、およびオープン環境において設置され得るスマートサーモスタットデバイスなどのユーザ機器（ＵＥ）があり得る。
【００１６】
[0024]デバイス１０６について、ＩｏＴネットワークに関して本開示で説明するが、デバイス１０６の他の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがあり得ることを理解されたい。デバイス１０６は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１７】
[0025]アクセスネットワーク１００によって採用される変調および多元接続スキームは、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる
。
【００１８】
[0026]認可スペクトルにおいて動作するセルラーシステムは、代替技術（たとえば、無認可スペクトルを使用する技術）と比較して、いくつかの重要な潜在的な利点を有し得る。たとえば、セルラーシステムは、既存の基地局インフラストラクチャおよび認可スペクトルを再利用することができる。原則として、これにより、そのようなシステムは、認可免除された（または無認可の）スペクトルを使用しようと試みるシステムに対して、著しくより良好なリンクバジェット、サービス品質、スケーラビリティ、および展開の容易さを達成することが可能になるはずである。
【００１９】
[0027]しかしながら、特定の適用例のための既存のセルラーインフラストラクチャおよびスペクトルの再利用は、いくつかの考慮事項を提起し得る。たとえば、特定の適用例の性質および要件は、既存のセルラーシステムがそれのために設計および最適化された適用例とは異なる（さらには大幅に異なる）ことがある。たとえば、ＩｏＴ適用例の場合、低スループットデバイスのための一般的なトラフィックモデルは、ＩｏＴネットワークが、各デバイスのための、頻度が低いおよび／または小さいデータ転送（たとえば、１時間ごとに１回または数時間ごとに１回行われるデータ転送、２０〜１００バイトのサイズを有するデータ転送）を主にサポートすることを必要とし得る。
【００２０】
[0028]ＩｏＴ適用例の場合、追加の考慮事項は、ＵＥコストに関係し得る。たとえば、ＵＥのコストは、一般に汎用パケット無線サービス（ＧＰＲＳ）に関連するＵＥよりもはるかに低く保たれることが好ましいことがある。この点について、ＵＥの好ましいコストは、現在のＧＰＲＳソリューションよりも、Ｂｌｕｅｔｏｏｔｈ（登録商標）  ＳｍａｒｔおよびＺｉｇｂｅｅ（登録商標）により近くなり得る。別の考慮事項は、バッテリー寿命に関係し得る。たとえば、バッテリー寿命はＧＰＲＳと比較して延長されることが好ましいことがある。この点について、妥当なトラフィックモデルを仮定すると、好ましいバッテリー寿命は、複数年程度であり得る。また別の考慮事項は、セルラーカバレージに関係し得る。たとえば、屋内カバレージはＧＰＲＳと比較して拡張されることが好ましいことがある。この点について、ＵＥが奥行きのある屋内に位置し得ること、ＵＥが不十分なカバレージ位置において静止したままであり得ること、ならびに／またはＵＥがむしろフォームファクタおよび他のコスト制約により十分に機能していないアンテナを有し得ることが企図され得る。
【００２１】
[0029]本開示の態様によれば、基地局のランダムアクセスは、上記の考慮事項のうちの１つまたは複数に対処するように構成される。
【００２２】
[0030]ランダムアクセスに関して、セルラーシステムでは、初期システムアクセスを実行し、ＵＬ同期を達成するために、リソースブロックのセットがＵＥによって使用され得る。ランダムアクセスについての要求が、特定の帯域幅を占有するランダムアクセスプリアンブルを含み得る。ランダムアクセスプリアンブルの送信は、ある時間リソースおよび周波数リソースに制限され得る。
【００２３】
[0031]ＬＴＥなどの一般的なセルラーシステムでは、ＵＥは、基地局にアクセスするために、ランダムアクセスについての要求を送る。詳細には、ＵＥは、ランダムアクセス信号の送信電力を決定するために、基地局からダウンリンク信号を受信し、その信号の強度を測定する。ＵＥが、基地局におけるランダムアクセス信号の所与の受信電力をターゲットにするように、開ループ電力制御が採用される。さらに、ＵＥによって送られたランダムアクセス信号の変調およびコーディングスキームは、基地局受信機における処理を簡略化するように固定される。
【００２４】
[0032]前の段落において説明した設計は、ＵＥが電話またはスマートフォンであり得るシステム、および／またはランダムアクセスについての要求が軽微なオーバーヘッド（たとえば、ＵＥと基地局との間の通信セッション全体のうちの比較的小さい部分）となるシステムについて、有効であり得る。
【００２５】
[0033]しかしながら、他のシステム（たとえば、ＩｏＴシステム）では、言及した設計は、それほど有効ではないことがある。これは、ＩｏＴシステムのペイロードサイズが、通常極めて小さい、たとえば、各データトランザクションについて１００バイト程度であるからであり得る。その結果、ランダムアクセスについての要求が、ＵＥと基地局との間の通信セッション全体のうちのより大きい部分となり得る。したがって、本開示の態様は、ＩｏＴおよび他の適用例のためのランダムアクセス設計を最適化することを対象とする。特に、いくつかの態様は、バッテリー電力消費を最適化する（たとえば、低減する）ことを対象とする。（相当なものであり得る）ある程度まで、バッテリー電力消費は、ＵＥがその間にデータを送信する時間の（１つまたは複数の）持続時間に依存し得る。
【００２６】
[0034]図２は、ランダムアクセスについての要求を送ることの一例を示す図２００である。図２を参照すると、デバイス２０６は、基地局２０４にランダムアクセスについての要求２０８を送る。デバイス２０６は、ＩｏＴ  ＵＥであり得る。
【００２７】
[0035]要求２０８を送る前に、デバイス２０６は、デバイスと基地局２０４との間の経路損失を決定し得る。経路損失は、電磁波がデバイス２０６と基地局２０４との間で伝搬するときの電磁波の減衰を反映する。経路損失は、ＧＰＲＳ  ＵＥが経路損失を測定する様式と同様の様式で測定され得る。たとえば、デバイス２０６は、ダウンリンク基準信号受信電力（ＲＳＲＰ：Reference Signal Received Power）の測定値を平均化することによって、経路損失を決定し得る。この点について、デバイス２０６は、基地局２０４によって送信された信号を測定し得る。測定値は、固定の時間期間にわたって測定された信号電力の移動平均を計算することを伴い得る。
【００２８】
[0036]決定された経路損失は、ランダムアクセスについての要求２０８を送るために使用され得る。さらに、決定された経路損失は、アクセスについての後続の要求を容易にするために、デバイス２０６において記憶され得る。
【００２９】
[0037]ランダムアクセスについての要求を送るために、デバイス２０６は、２つまたはそれ以上の信号フォーマット（たとえば、信号フォーマット２１０、２１２）から、信号フォーマットを選択する。信号フォーマットの各々は、それぞれのコーディングおよび変調スキーム（たとえば、異なるコーディングおよび変調スキーム）に対応し得る。また、信号フォーマットの各々は、所定の周波数帯域幅に対応し得る。また、信号フォーマットの各々は、それぞれの持続時間に対応し得る。所与の信号フォーマットの持続時間は、それの対応するコーディングおよび変調スキームに依存し得る。
【００３０】
[0038]たとえば、持続時間は、所定の数のシンボルに対応し得、信号フォーマット（たとえば、図２の信号フォーマット２１０、２１２）について異なり得る。したがって、要求２０８を送信することは、選択された信号フォーマットに応じて、より短いまたはより長い持続時間を必要とし得る。図２を参照すると、信号フォーマット２１２は、信号フォーマット２１０に対応する持続時間の２倍の長さである持続時間に対応する。したがって、信号フォーマット２１２が選択され、要求２０８が信号フォーマット２１２に従って送られた場合、要求２０８を送信するために必要とされる時間は、信号フォーマット２１０が選択され、要求２０８が信号フォーマット２１０に従って送られる状況と比較して、２倍の長さになることになる。
【００３１】
[0039]所定の周波数帯域幅は、所定の数のサブキャリアに対応し得る。
【００３２】
[0040]信号フォーマットの異なるコーディングおよび変調スキームに関して、第１の信号フォーマット（たとえば、信号フォーマット２１２）は、第２のシグナリングフォーマット（たとえば、信号フォーマット２１０）よりもロバストであり得る。たとえば、２位相シフトキーイング（ＢＰＳＫ）が第１の信号フォーマットに対応し得、４位相シフトキーイング（ＱＰＳＫ）が第２の信号フォーマットに対応し得る。（シンボルごとに１つの情報ビットのみが符号化される）ＢＰＳＫは、極めてロバストであると考えられる。たとえば、ＢＰＳＫは、（シンボルごとに２つの情報ビットが符号化される）ＱＰＳＫよりもロバストである。ＢＰＳＫとＱＰＳＫとの間のロバストネスの差は、２つの変調スキーム間の最小コンスタレーションポイント距離の差に関係する。一般に、より大きいコンスタレーションポイント距離は、より高いレベルのロバストネスに対応する。
【００３３】
[0041]前述のように、各ＢＰＳＫシンボルは、各ＱＰＳＫシンボルよりも１つ少ない情報ビットを搬送する。したがって、ＢＰＳＫに対応する信号フォーマット（たとえば、信号フォーマット２１２）に従って要求２０８を送信することは、ＱＰＳＫに対応する信号フォーマット（たとえば、信号フォーマット２１０）に従って要求２０８を送信することの２倍のシンボルを送信することを必要とすることになる。したがって、信号フォーマット２１０よりも信号フォーマット２１２が選定された場合、要求２０８を送信するために必要とされる時間は２倍になる。送信時間の増加は、電力消費の増加を生じる。したがって、ＢＰＳＫを使用して要求２０８を送信することは、ＱＰＳＫを使用して要求２０８を送信することよりも、より多くのバッテリー電力を消費する。
【００３４】
[0042]また、信号フォーマットの異なるコーディングおよび変調スキームに関して、別の例によれば、１／３のコードレートが第２の信号フォーマット（たとえば、信号フォーマット２１２）に対応し得、２／３のコードレートが第１の信号フォーマット（たとえば、信号フォーマット２１０）に対応し得る。（合計３ビットがわずか１ビットの有用な情報を搬送する）１／３のコードレートは、（合計３ビットが２ビットの有用な情報を搬送する）２／３のコードレートよりもロバストである。ロバストネスの差は、冗長ビットの数の差、すなわち、１／３のコードレートにおける２ビット対２／３のコードレートにおける１ビットに関係する。
【００３５】
[0043]前述のように、１／３のコードレートで符号化されたデータは、２／３のコードレートで符号化されたデータの半分の有用な情報を搬送する。したがって、１／３のコードレートで符号化された要求２０８を送信することは、２／３のコードレートで符号化された要求２０８を送信することの２倍の長さを必要とすることになる。したがって、１／３のコードレートを使用して要求２０８を送信することは、２／３のコードレートを使用して要求を送信することよりも多くの電力を消費する。
【００３６】
[0044]本開示の態様によれば、信号フォーマットは、所望されるレベルのロバストネスを得るために、２つまたはそれ以上の信号フォーマット（たとえば、信号フォーマット２１０、２１２）から選択される。信号フォーマットのうちの少なくとも２つは、異なるコーディングおよび変調スキームに基づく。たとえば、特定の信号フォーマットに対応する特定の変調スキーム（または特定のコードレート）は、所望のレベルのロバストネスを得るために、効果的に選択される。所望のロバストネスレベルは、１つまたは複数のファクタ、たとえば、デバイス２０６と基地局２０４との間の決定された経路損失に依存し得る。代替的に（または追加として）、所望されるロバストネスのレベルは、デバイス２０６の送信電力能力に依存し得る。
【００３７】
[0045]そのような態様は、ランダムアクセス信号（たとえば、要求２０８と同様であり得る要求を搬送する信号）の長さおよびコーディングおよび変調が、１つまたは複数のデバイスについて固定される状況とは区別可能であり得る。その状況では、信号フォーマットは、特定のデバイス（たとえば、最も高い経路損失を被るデバイス）によって送信されたランダムアクセス信号が、基地局に正常に達する可能性を高めるために、固定されていることがある。
【００３８】
[0046]ＩｏＴシステムでは、ワーストケース経路損失は、一般的な電話システム（たとえば、ＧＰＲＳ）において観測されるワーストケース経路損失よりも大きくなり得る。これは、ＩｏＴ  ＵＥが奥行きのある屋内に位置し得るから、および／またはＩｏＴ  ＵＥが不十分なカバレージ位置において静止したままであり得るからであり得る。その上、ＩｏＴ  ＵＥの送信電力能力は、（たとえば、ＧＰＲＳ  ＵＥよりも）弱いことがある。上記の段落で説明した状況によれば、ワーストケースシナリオに対処するために、比較的保守的なコーディングおよび変調（たとえば、ＢＰＳＫ、レート１／３コーディング）ならびに数回の繰り返しが、ランダムアクセス信号（たとえば、要求２０８）の送信のために採用され得る。
【００３９】
[0047]上記のアプローチは、他のＩＯＴ  ＵＥ（たとえば、ワーストケース経路損失を被らないＩＯＴ  ＵＥ）にとって不必要に長い送信時間をもたらし得る。上記で説明した保守的設計は、ワーストケースシナリオに適したものであり得るが、経路損失がそれほど大きくなく、ＩｏＴ  ＵＥがより短い時間量においてランダムアクセス信号（たとえば、要求２０８）の送信を終了し、それにより電力消費を低減することができる他のシナリオにとって、不必要に負担になり得る。
【００４０】
[0048]本開示の態様によれば、複数の信号フォーマット（たとえば、信号フォーマット２１０、２１２）が、異なるコーディングおよび変調スキームならびに送信持続時間に対応するランダムアクセス信号（たとえば、要求２０８）のために採用される。前に説明したように、信号フォーマット２１２の送信は、信号フォーマット２１０の送信の２倍の長さを要する。一態様によれば、デバイス２０６が受ける経路損失が比較的大きい（たとえば、しきい値よりも大きい）場合、信号フォーマット２１２がデバイス２０６によって選択される。一態様によれば、デバイス２０６が受ける経路損失が比較的小さい（たとえば、しきい値よりも小さい）場合、信号フォーマット２１０がデバイス２０６によって選択される。
【００４１】
[0049]選択された信号フォーマットは、ランダムアクセスについての要求を送るために使用され得る。たとえば、デバイスは、選択された信号フォーマットに従って、ランダムアクセスについての要求を送り得る。さらに、選択された信号フォーマットは、アクセスについての後続の要求を容易にするために、デバイスにおいて記憶され得る。
【００４２】
[0050]ターゲット受信電力（たとえば、要求２０８が基地局２０４において受信される電力）は、信号フォーマットごとに異なり得る。デバイス２０６は、測定された経路損失および／またはデバイスの送信電力能力に応じて、複数の信号フォーマット（たとえば、信号フォーマット２１０、２１２）のうちのいずれが使用されるべきかを決定し得る。一実施形態によれば、デバイス２０６は、前の通信セッションからの経路損失および／またはフォーマット選択に関する情報を記憶し、記憶された情報に応じてランダムアクセス信号フォーマットを決定する。前の通信セッションは、基地局２０４と行われていることがある。
【００４３】
[0051]本開示の態様によれば、ランダムアクセス信号（たとえば、図２の要求２０８）のための時間周波数リソース空間を管理するためのいくつかの方法のうちの１つが、利用され得る。
【００４４】
[0052]図３（ａ）および図３（ｂ）に、時間周波数リソース利用の例を示す。
【００４５】
[0053]図３（ａ）を参照すると、時間周波数リソース３００は、ランダムアクセスチャネルリソースが、複数の、重複しないブロックに区分されるように、利用される。各ブロックは、１つの信号フォーマット（たとえば、信号フォーマット２１０、２１２）に対応する。各ブロックは、特定の信号フォーマットに対応するサイズ（たとえば、シンボルの数およびサブキャリアの数）を有し得る。
【００４６】
[0054]たとえば、特定の信号フォーマット（たとえば、図２の信号フォーマット２１０）に基づく要求は、ブロック３０２−１、３０２−２、３０２−３、３０２−４、３０２−５、３０２−６、３０２−７、３０２−８のいずれかにおいて送信／受信され得、それらのブロックの各々が、信号フォーマットに対応するサイズを有する。また、他の特定の信号フォーマット（たとえば、図２の信号フォーマット２１２）に基づく要求は、ブロック３０４−２、３０４−４、３０４−６のいずれかにおいて送信／受信され得、それらのブロックの各々が、その他の信号フォーマットに対応するサイズを有する。
【００４７】
[0055]したがって、信号フォーマット２１０に基づく要求は、ブロック３０４−２、３０４−４、３０４−６のいずれにおいても送信／受信されず、信号フォーマット２１２に基づく要求は、ブロック３０２−１、３０２−２、３０２−３、３０２−４、３０２−５、３０２−６、３０２−７、３０２−８のいずれにおいても送信／受信されないであろう。信号フォーマットと言及したブロックとの間の割振りは、デバイス（たとえば、デバイス２０６）において、および基地局（たとえば、基地局２０４）において既知である。したがって、基地局における受信機の処理は、簡略化され得る。たとえば、基地局は、デバイスがブロードキャストチャネルから割振りを学習し、次いで、使用すべき信号フォーマットのうちの１つを選択するように、ダウンリンクブロードキャストチャネル中で割振りを指定し得る。
【００４８】
[0056]図３（ｂ）を参照すると、時間周波数リソース３５０は、ランダムアクセスチャネルリソースが、複数の、重複しないブロック（たとえば、ブロック３５２−１、３５２−２、３５２−３、３５２−４）に区分されるように、利用される。図３（ｂ）を参照すると、任意の信号フォーマット（たとえば、信号フォーマット２１０または２１２）が、任意の（１つまたは複数の）リソースブロックにおいて使用され得る。図３（ａ）のリソースブロック３０２、３０４とは異なり、リソースブロック３５２は、特定の信号フォーマットに対応するためにアプリオリに区分され（たとえば、より早い時間に区分され）ない。図３（ａ）を参照しながら前に開示したように、異なる信号フォーマットは、所与のリソースブロックが１つの特定の信号フォーマットのみによって使用されるように、重複しないリソースブロックを使用する。図３（ｂ）を参照すると、所与のリソースブロックは、２つまたはそれ以上の異なるフォーマットの信号によって使用され得る。
【００４９】
[0057]たとえば、特定の信号フォーマット（たとえば、図２の信号フォーマット２１０）に基づく要求は、ブロック３５２−１、３５２−２、３５２−３、３５２−４のいずれかにおいて送信／受信され得る。また、別の特定の信号フォーマット（たとえば、図２の信号フォーマット２１２）に基づく要求は、ブロックのペア（たとえば、ブロック３５２−１とブロック３５２−２のペア、ブロック３５２−３とブロック３５２−４のペア）において送信／受信され得る。この利用は、デバイス（たとえば、デバイス２０６）により多くのフレキシビリティを与える。しかしながら、それは、基地局（たとえば、基地局２０４）が、時間周波数リソース中で信号を受信すると、フォーマットを検出し、次いで、信号を復元することを必要とする。したがって、図３（ｂ）の利用は、より良いチャネルリソース利用を有するが、場合によっては、基地局受信機の複雑さの増加という犠牲を払う。基地局受信機がランダムアクセスについての要求を検出するのを支援するために、ランダムアクセス信号（たとえば、要求２０８）は、既知の波形からなるプリアンブルで開始し得る。さらなる態様によれば、プリアンブルは、すべてのフォーマット（たとえば、信号フォーマット２１０、２１２）について同じである。
【００５０】
[0058]本開示の態様についてＩｏＴデバイスに関して説明するが、そのような態様は他のデバイス／状況に適用され得ることを理解されたい。たとえば、開示する態様は、ＵＥ（たとえば、ＧＰＲＳシステムにおけるＵＥ）が頻度が低いおよび小さいデータ転送のみを送る、ならびに／またはＵＥが電力を温存することを所望する（または、それを温存することを必要とされる）状況に適用され得る。
【００５１】
[0059]図４は、デバイスを動作させる方法のフローチャート４００である。本方法はＵＥ（たとえば、デバイス１０６、２０６）によって実行され得る。４０２において、デバイスは、デバイスと基地局との間の経路損失を決定する。たとえば、図２を参照すると、ＵＥ２０６は、ＵＥ２０６と最も近い基地局２０４との間の経路損失を決定する。４０４において、デバイスは、複数の信号フォーマットから信号フォーマットを選択する。たとえば、図２を参照すると、ＵＥ２０６は、信号フォーマット２１０および信号フォーマット２１２の中から信号フォーマットを選択する。４０６において、デバイスは、選択された信号フォーマットに対応する時間および周波数リソースの所定のセットから時間および周波数リソースを選択する。たとえば、図３（ａ）を参照すると、ＵＥは、選択された信号フォーマットに対応するブロック（たとえば、ブロック３０２−１、３０２−２、．．．、３０２−８または３０４−２、３０４−４、３０４−６）を選択する。別の例として、図３（ｂ）を参照すると、ＵＥは、選択された信号フォーマットに適しているとして、（たとえば、ブロック３５２−１、３５２−２、．．．の中から）任意の１つまたは複数のブロックを選択する。４０８において、デバイスは、選択された信号フォーマットに従って基地局にランダムアクセスについての要求を送る。たとえば、図２を参照すると、ＵＥ２０６は、選択された信号フォーマットに従って基地局２０４にランダムアクセスについての要求を送る。４１０において、デバイスは、ランダムアクセスについての後続の要求を容易にするために、決定された経路損失を記憶する。最後に、４１２において、デバイスは、ランダムアクセスについての後続の要求を容易にするために、選択された信号フォーマットを記憶する。
【００５２】
[0060]図５は、基地局を動作させる方法のフローチャート５００である。本方法は基地局（たとえば、基地局１０４、２０４）によって実行され得る。５０２において、基地局は、デバイスからランダムアクセスについての要求を受信するために、時間および周波数リソースの所定のセットをモニタする。たとえば、図２、図３（ａ）および図３（ｂ）を参照すると、基地局２０４は、ＵＥ２０６からランダムアクセスについての要求を受信するために、１つまたは複数のブロック（たとえば、ブロック３０２−１、３０２−２、．．．、３０２−８、３０４−２、３０４−４、３０４−６、３５２−１、３５２−２、．．．）をモニタする。５０４において、基地局は、複数の信号フォーマットの中から要求の信号フォーマットを決定する。たとえば、図２を参照すると、基地局２０４は、信号フォーマット２１０および信号フォーマット２１２の中から要求の信号フォーマットを決定する。図３（ａ）を参照すると、基地局２０４は、単に、受信された信号のリソースブロックに基づいて、信号フォーマットを決定し得る。対照的に、図３（ｂ）を参照すると、特定の信号フォーマットに対応するリソースブロックのアプリオリな区分がないので、基地局２０４は、どの信号フォーマットが要求によって実際に使用されたかを決定するために、複数の復号可能性を試みる（またはテストする）ことがある。この点について、基地局２０４は、ブラインド検出アプローチを使用し得る。５０６において、基地局は、決定された信号フォーマットに基づいて要求を復元する。５０８において、基地局は、決定された信号フォーマットに基づいて要求を復号する。最後に、５１０において、基地局は、複数の信号フォーマットのうちの少なくとも２つを使用して要求を復号する。たとえば、図２を参照すると、基地局２０４は、信号フォーマット２１０および信号フォーマット２１２を使用して要求を復号する。
【００５３】
[0061]図６は、例示的な装置６０２中の異なるモジュール／手段／構成要素間のデータフローを示す概念データフロー図６００である。本装置はＵＥであり得る。装置６０２は、本装置と基地局との間の経路損失を決定する決定モジュール６０４を含む。決定された経路損失は、選択モジュール６０６および記憶モジュール６０８に出力される。選択モジュール６０６は、複数の信号フォーマット（たとえば、図２の信号フォーマット２１０および２１２）から、信号フォーマットを選択する。選択された信号フォーマットは、記憶モジュール６０８および送信モジュール６１０に出力される。選択モジュール６０６はまた、選択された信号フォーマットに対応する時間および周波数リソースの所定のセットから時間および周波数リソースを選択し得る。たとえば、図３（ａ）および図３（ｂ）を参照すると、選択モジュール６０６は、選択された信号フォーマットに対応するブロックを選択する。
【００５４】
[0062]送信モジュール６１０は、選択された信号フォーマットに従って基地局にランダムアクセスについての要求を送る。記憶モジュール６０８は、ランダムアクセスについての後続の要求を容易にするために、決定された経路損失および／または選択された信号フォーマットを記憶する。
【００５５】
[0063]本装置は、図４の上述のフローチャート中のアルゴリズムのブロックの各々を実行する追加のモジュールを含み得る。したがって、図４の上述のフローチャート中の各ブロックは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５６】
[0064]図７は、処理システム７１４を採用する装置６０２’のためのハードウェア実装形態の一例を示す図７００である。処理システム７１４は、バス７２４によって概略的に表されるバスアーキテクチャを用いて実装され得る。バス７２４は、処理システム７１４の特定の適用例および全体的な設計制約に応じて、任意の数の相互接続バスおよびブリッジを含み得る。バス７２４は、プロセッサ７０４によって表される１つまたは複数のプロセッサおよび／またはハードウェアモジュールと、モジュール６０４、６０６、６０８、６１０と、コンピュータ可読媒体／メモリ７０６とを含む様々な回路を互いにリンクする。バス７２４はまた、タイミングソース、周辺機器、電圧調整器、および電力管理回路など、様々な他の回路をリンクし得るが、これらの回路は当技術分野においてよく知られており、したがって、これ以上説明されない。
【００５７】
[0065]処理システム７１４はトランシーバ７１０に結合され得る。トランシーバ７１０は１つまたは複数のアンテナ７２０に結合される。トランシーバ７１０は、伝送媒体を介して様々な他の装置と通信するための手段を与える。トランシーバ７１０は、１つまたは複数のアンテナ７２０から信号を受信し、受信された信号から情報を抽出し、抽出された情報を処理システム７１４、特に決定モジュール６０４に与える。さらに、トランシーバ７１０は、処理システム７１４、特に送信モジュール６１０から情報を受信し、受信された情報に基づいて、１つまたは複数のアンテナ７２０に適用されるべき信号を生成する。処理システム７１４は、コンピュータ可読媒体／メモリ７０６に結合されたプロセッサ７０４を含む。プロセッサ７０４は、コンピュータ可読媒体／メモリ７０６に記憶されたソフトウェアの実行を含む一般的な処理を担当する。ソフトウェアは、プロセッサ７０４によって実行されたとき、処理システム７１４に、特定の装置のための上記で説明した様々な機能を実行させる。コンピュータ可読媒体／メモリ７０６はまた、ソフトウェアを実行するときにプロセッサ７０４によって操作されるデータを記憶するために使用され得る。処理システムは、モジュール６０４、６０６、６０８、６１０のうちの少なくとも１つをさらに含む。それらのモジュールは、プロセッサ７０４中で動作するか、コンピュータ可読媒体／メモリ７０６中に常駐する／記憶されたソフトウェアモジュールであるか、プロセッサ７０４に結合された１つまたは複数のハードウェアモジュールであるか、またはそれらの何らかの組合せであり得る。処理システム７１４はＵＥ１０６、２０６の構成要素であり得る。
【００５８】
[0066]一構成では、ワイヤレス通信のための装置６０２／６０２’は、複数の信号フォーマットから信号フォーマットを選択するための手段（たとえば、６０６）を含み、複数の信号フォーマットの各々が、複数のコーディングおよび変調スキームのうちのそれぞれのコーディングおよび変調スキームに対応する。本装置は、選択された信号フォーマットに従って基地局にランダムアクセスについての要求を送るための手段（たとえば、６１０）をさらに含む。
【００５９】
[0067]一構成では、複数の信号フォーマットの各々が、重複しない時間および周波数リソースの所定のセットにさらに対応する。
【００６０】
[0068]本装置は、選択された信号フォーマットに対応する重複しない時間および周波数リソースの所定のセットから時間および周波数リソースを選択するための手段（たとえば、６０６）をさらに含み得る。送るための手段（たとえば、６１０）は、選択された時間および周波数リソースを使用してランダムアクセスについての要求を送るように構成され得る。
【００６１】
[0069]一構成では、本装置は、基地局から信号を受信するための手段（たとえば、７２０）と、信号から割振り制御メッセージを復元するための手段（たとえば、６０６、７０４）とをさらに含み得る。割振り制御メッセージは、重複しない時間および周波数リソースの所定のセットに対応する信号フォーマットを指定する。
【００６２】
[0070]一構成では、複数の信号フォーマットは、時間および周波数リソースの所定のセットにさらに対応する。本装置は、時間および周波数リソースの所定のセットから時間および周波数リソースを選択するための手段（たとえば、６０６）をさらに含み得る。送るための手段（たとえば、６１０）は、選択された時間および周波数リソースを使用してランダムアクセスについての要求を送るように構成され得る。
【００６３】
[0071]本装置は、本装置と基地局との間の経路損失を決定するための手段（たとえば、６０４）をさらに含み得る。複数の信号フォーマットの各々は、所定の周波数帯域幅にさらに対応し得る。それぞれの持続時間は、複数の信号フォーマットの各々に対応するそれぞれのコーディングおよび変調スキームに基づく。信号フォーマットを選択するための手段（たとえば、６０６）は、経路損失に基づいて信号フォーマットを選択するように構成され得る。信号フォーマットを選択するための手段（たとえば、６０６）はまた、本装置の送信電力能力に基づいて信号フォーマットを選択するように構成され得る。
【００６４】
[0072]一構成では、複数の信号フォーマットは、ＯＦＤＭＡ信号またはＳＣ−ＦＤＭＡ信号のためのものであり得る。それぞれの持続時間は、所定の数のシンボルに対応し得る。所定の周波数帯域幅は、所定の数のサブキャリアに対応し得る。
【００６５】
[0073]一構成では、本装置は、ランダムアクセスについての後続の要求を容易にするために、決定された経路損失を本装置において記憶するための手段（たとえば、６０８）をさらに含む。
【００６６】
[0074]一構成では、複数の信号フォーマットのうちの第１の信号フォーマットに対応するコーディングおよび変調スキームと、複数の信号フォーマットのうちの第２の信号フォーマットに対応するコーディングおよび変調スキームとが、互いに異なる。信号フォーマットは、選択された信号フォーマットに対応するコーディングおよび変調スキームのロバストネスが、本装置と基地局との間の経路損失に相応するように、選択され得る。
【００６７】
[0075]信号フォーマットはさらに、経路損失がしきい値よりも小さい場合、選択された信号フォーマットに対応するコーディングおよび変調スキームが、複数の信号フォーマットのうちの第２の信号フォーマットに対応するコーディングおよび変調スキームよりもロバストでないように、選択され得る。信号フォーマットはさらに、経路損失がしきい値よりも大きい場合、選択された信号フォーマットに対応するコーディングおよび変調スキームが、複数の信号フォーマットのうちの第２の信号フォーマットに対応するコーディングおよび変調スキームよりもロバストであるように、選択され得る。
【００６８】
[0076]本装置は、ランダムアクセスについての後続の要求を容易にするために、選択された信号フォーマットを記憶するための手段（たとえば、６０８）をさらに含み得る。
【００６９】
[0077]一構成では、ランダムアクセスについての要求は、基地局へＩｏＴ通信を送ることを容易にするために送られる。
【００７０】
[0078]上述の手段は、上述の手段によって具陳された機能を実行するように構成された、装置６０２、および／または装置６０２’の処理システム７１４の上述のモジュールのうちの１つまたは複数であり得る。
【００７１】
[0079]図８は、例示的な装置８０２中の異なるモジュール／手段／構成要素間のデータフローを示す概念データフロー図８００である。本装置は基地局であり得る。装置８０２は、デバイスからランダムアクセスについての要求を受信するために、（トランシーバ８５０からの）時間および周波数リソースの所定のセットをモニタするモニタモジュール８０４を含む。たとえば、図２、図３（ａ）および図３（ｂ）を参照すると、モニタモジュール８０４は、ＵＥ２０６からランダムアクセスについての要求を受信するために、１つまたは複数のブロック（たとえば、ブロック３０２−１、３０２−２、．．．、３０２−８、３０４−２、３０４−４、３０４−６、３５２−１、３５２−２、．．．）をモニタする。受信された要求は、決定モジュール８０６に出力される。決定モジュール８０６は、複数の信号フォーマットの中から要求の信号フォーマットを決定する。たとえば、図２を参照すると、決定モジュール８０６は、信号フォーマット２１０および信号フォーマット２１２の中から要求の信号フォーマットを決定する。決定された信号フォーマットは、復元モジュール８０８および復号モジュール８１０に出力される。復元モジュール８０８は、決定された信号フォーマットに基づいて要求を復元する。復元された要求は、復号モジュール８１０に出力され得る。復号モジュール８１０は、決定された信号フォーマットに基づいて要求を復号し得る。復号モジュール８１０は、複数の信号フォーマットのうちの少なくとも２つを使用して要求を復号し得る。たとえば、図２を参照すると、復号モジュール８１０は、信号フォーマット２１０および信号フォーマット２１２を使用して要求を復号し得る。
【００７２】
[0080]本装置は、図５の上述のフローチャート中のアルゴリズムのブロックの各々を実行する追加のモジュールを含み得る。したがって、図５の上述のフローチャート中の各ブロックは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７３】
[0081]図９は、処理システム９１４を採用する装置８０２’のためのハードウェア実装形態の一例を示す図９００である。処理システム９１４は、バス９２４によって概略的に表されるバスアーキテクチャを用いて実装され得る。バス９２４は、処理システム９１４の特定の適用例および全体的な設計制約に応じて、任意の数の相互接続バスおよびブリッジを含み得る。バス９２４は、プロセッサ９０４によって表される１つまたは複数のプロセッサおよび／またはハードウェアモジュールと、モジュール８０４、８０６、８０８、８１０と、コンピュータ可読媒体／メモリ９０６とを含む様々な回路を互いにリンクする。バス９２４はまた、タイミングソース、周辺機器、電圧調整器、および電力管理回路など、様々な他の回路をリンクし得るが、これらの回路は当技術分野においてよく知られており、したがって、これ以上説明されない。
【００７４】
[0082]処理システム９１４はトランシーバ９１０に結合され得る。トランシーバ９１０は１つまたは複数のアンテナ９２０に結合される。トランシーバ９１０は、伝送媒体を介して様々な他の装置と通信するための手段を与える。トランシーバ９１０は、１つまたは複数のアンテナ９２０から信号を受信し、受信された信号から情報を抽出し、抽出された情報を処理システム９１４、特にモニタモジュール８０４に与える。さらに、トランシーバ９１０は、処理システム９１４から情報を受信し得、受信された情報に基づいて、１つまたは複数のアンテナ９２０に適用されるべき信号を生成する。処理システム９１４は、コンピュータ可読媒体／メモリ９０６に結合されたプロセッサ９０４を含む。プロセッサ９０４は、コンピュータ可読媒体／メモリ９０６に記憶されたソフトウェアの実行を含む一般的な処理を担当する。ソフトウェアは、プロセッサ９０４によって実行されたとき、処理システム９１４に、特定の装置のための上記で説明した様々な機能を実行させる。コンピュータ可読媒体／メモリ９０６はまた、ソフトウェアを実行するときにプロセッサ９０４によって操作されるデータを記憶するために使用され得る。処理システムは、モジュール８０４、８０６、８０８、８１０のうちの少なくとも１つをさらに含む。それらのモジュールは、プロセッサ９０４中で動作するか、コンピュータ可読媒体／メモリ９０６中に常駐する／記憶されたソフトウェアモジュールであるか、プロセッサ９０４に結合された１つまたは複数のハードウェアモジュールであるか、またはそれらの何らかの組合せであり得る。処理システム９１４は基地局１０４、２０４の構成要素であり得る。
【００７５】
[0083]一構成では、ワイヤレス通信のための装置８０２／７０２’は、デバイスからランダムアクセスについての要求を受信するために、時間および周波数リソースの所定のセットをモニタするための手段（たとえば、８０４）を含む。本装置は、複数の信号フォーマットの中から要求の信号フォーマットを決定するための手段（たとえば、８０６）をさらに含む。複数の信号フォーマットの各々は、複数のコーディングおよび変調スキームのうちのそれぞれのコーディングおよび変調スキームに対応する。本装置は、決定された信号フォーマットに基づいて要求を復元するための手段（たとえば、８０８）をさらに含む。
【００７６】
[0084]一構成では、複数の信号フォーマットの各々は、所定の周波数帯域幅にさらに対応し得る。それぞれの持続時間は、複数の信号フォーマットの各々に対応するそれぞれのコーディングおよび変調スキームに基づき得る。
【００７７】
[0085]一構成では、複数の信号フォーマットの各々は、時間および周波数リソースの所定のセットのうちの所定の重複しないサブセットにさらに対応し得る。要求の信号フォーマットは、モニタされた所定の重複しないサブセットから決定され得る。本装置は、決定された信号フォーマットに基づいて要求を復号するための手段（たとえば、８１０）をさらに含み得る。
【００７８】
[0086]本装置は、複数の信号フォーマットのうちの少なくとも２つを使用して要求を復号するための手段（たとえば、８１０）をさらに含み得る。要求の信号フォーマットは、要求を正常に復号する複数の信号フォーマットのうちの少なくとも２つのうちの１つによって決定され得る。
【００７９】
[0087]一構成では、信号フォーマットは、少なくとも、要求が受信される時間、または要求が受信されるキャリア周波数に基づいて決定され得る。
【００８０】
[0088]一構成では、受信された要求は、既知のプリアンブルで開始し得る。既知のプリアンブルは、複数の信号フォーマットに共通であり得る。
【００８１】
[0089]一構成では、複数の信号フォーマットのうちの第１の信号フォーマットに対応するコーディングおよび変調スキームと、複数の信号フォーマットのうちの第２の信号フォーマットに対応するコーディングおよび変調スキームとが、互いに異なり得る。
【００８２】
[0090]上述の手段は、上述の手段によって具陳された機能を実行するように構成された、装置８０２、および／または装置８０２’の処理システム９１４の上述のモジュールのうちの１つまたは複数であり得る。
【００８３】
[0091]開示したプロセス／フローチャート中のブロックの特定の順序または階層は、例示的なアプローチの一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００８４】
[0092]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2020167704.tif 000003
【図２】
2020167704.tif 000004
【図３Ａ】
2020167704.tif 000005
【図３Ｂ】
2020167704.tif 000006
【図４】
2020167704.tif 000007
【図５】
2020167704.tif 000008
【図６】
2020167704.tif 000009
【図７】
2020167704.tif 000010
【図８】
2020167704.tif 000011
【図９】
2020167704.tif 000012
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
基地局を動作させる方法であって、
デバイスからランダムアクセスについての要求を受信するために、時間および周波数リソースの所定のセットをモニタすること、ここにおいて、前記受信した要求は、複数の信号フォーマットに共通の既知のプリアンブルで開始する、と、
前記既知のプリアンブルに基づいて前記複数の信号フォーマットの中から前記要求の信号フォーマットを決定すること、前記複数の信号フォーマットの各々は、前記決定された信号フォーマットが複数のコーディングおよび変調スキームのうちの第１のコーディングおよび変調スキームに対応するように、前記複数のコーディングおよび変調スキームのうちのそれぞれのコーディングおよび変調スキームに対応し、前記決定された信号フォーマットに対応する前記コーディングおよび変調スキームは、前記デバイスの送信電力能力に基づいて決定される、と、
前記決定された信号フォーマットに基づいて前記要求を復元することと
を備える、方法。
【請求項２】
前記複数の信号フォーマットの各々は、所定の周波数帯域幅にさらに対応し、  それぞれの持続時間は、前記複数の信号フォーマットの各々に対応する前記それぞれのコーディングおよび変調スキームに基づく、
請求項１に記載の方法。
【請求項３】
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記方法は、前記決定された信号フォーマットに基づいて前記要求を復号することをさらに備える、
請求項２に記載の方法。
【請求項４】
前記複数の信号フォーマットのうちの少なくとも２つを使用して前記要求を復号することをさらに備え、
前記要求の前記信号フォーマットは、前記要求を正常に復号する前記複数の信号フォーマットのうちの前記少なくとも２つのうちの１つによって決定される、
請求項２に記載の方法。
【請求項５】
前記信号フォーマットは、少なくとも、前記要求が受信される時間、または前記要求が受信されるキャリア周波数に基づいて決定される、
請求項１に記載の方法。
【請求項６】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項１に記載の方法。
【請求項７】
ワイヤレス通信のための装置であって、
メモリと、
前記メモリに結合された少なくとも１つのプロセッサと
を備え、前記少なくとも１つのプロセッサは、
デバイスからランダムアクセスについての要求を受信するために、時間および周波数リソースの所定のセットをモニタすること、ここにおいて、前記受信した要求は、複数の信号フォーマットに共通の既知のプリアンブルで開始する、と、
前記既知のプリアンブルに基づいて前記複数の信号フォーマットの中から前記要求の信号フォーマットを決定すること、前記複数の信号フォーマットの各々は、前記選択された信号フォーマットが複数のコーディングおよび変調スキームのうちの第１のコーディングおよび変調スキームに対応するように、前記複数のコーディングおよび変調スキームのうちのそれぞれのコーディングおよび変調スキームに対応し、前記決定された信号フォーマットに対応する前記コーディングおよび変調スキームは、前記デバイスの送信電力能力に基づいて決定される、と、
前記決定された信号フォーマットに基づいて前記要求を復元することと
を行うように構成された、装置。
【請求項８】
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
請求項７に記載の装置。
【請求項９】
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づく、
請求項７に記載の装置。
【請求項１０】
前記少なくとも１つのプロセッサは、前記複数の信号フォーマットのうちの少なくとも２つを使用して前記要求を復号するようにさらに構成され、前記要求の前記信号フォーマットは、前記要求を正常に復号する前記複数の信号フォーマットのうちの前記少なくとも２つのうちの１つによって決定される、
請求項７に記載の装置。
【手続補正２】
【補正対象書類名】明細書
【補正対象項目名】００８４
【補正方法】変更
【補正の内容】
【００８４】
[0092]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
デバイスを動作させる方法であって、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を備える、方法。
［Ｃ２］
前記複数の信号フォーマットの各々は、重複しない時間および周波数リソースの所定のセットにさらに対応し、
前記方法は、前記選択された信号フォーマットに対応する重複しない時間および周波数リソースの前記所定のセットから時間および周波数リソースを選択することをさらに備え、
前記要求を送ることは、前記選択された時間および周波数リソースを使用してランダムアクセスについての前記要求を送ることを備える、
［Ｃ１］に記載の方法。
［Ｃ３］
前記基地局から信号を受信することと、
前記信号から割振り制御メッセージを復元すること、前記割振り制御メッセージは、重複しない時間および周波数リソースの前記所定のセットに対応する前記信号フォーマットを指定する、と
をさらに備える、［Ｃ２］に記載の方法。
［Ｃ４］
前記複数の信号フォーマットは、時間および周波数リソースの所定のセットにさらに対応し、
前記方法は、時間および周波数リソースの前記所定のセットから時間および周波数リソースを選択することをさらに備え、
前記要求を送ることは、前記選択された時間および周波数リソースを使用してランダムアクセスについての前記要求を送ることを備える、
［Ｃ１］に記載の方法。
［Ｃ５］
前記デバイスと前記基地局との間の経路損失を決定することをさらに備え、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
［Ｃ１］に記載の方法。
［Ｃ６］
前記信号フォーマットを前記選択することは、前記デバイスの送信電力能力に基づいて前記信号フォーマットを選択することをさらに備える、
［Ｃ５］に記載の方法。
［Ｃ７］
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
［Ｃ５］に記載の方法。
［Ｃ８］
ランダムアクセスについての後続の要求を容易にするために、前記決定された経路損失を前記デバイスにおいて記憶することをさらに備える、
［Ｃ５］に記載の方法。
［Ｃ９］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ５］に記載の方法。
［Ｃ１０］
前記信号フォーマットは、前記選択された信号フォーマットに対応する前記コーディングおよび変調スキームのロバストネスが、前記デバイスと前記基地局との間の前記経路損失に相応するように、選択される、
［Ｃ９］に記載の方法。
［Ｃ１１］
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
［Ｃ１０］に記載の方法。
［Ｃ１２］
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
［Ｃ１０］に記載の方法。
［Ｃ１３］
ランダムアクセスについての後続の要求を容易にするために、前記選択された信号フォーマットを記憶することをさらに備える、
［Ｃ１］に記載の方法。
［Ｃ１４］
ランダムアクセスについての前記要求は、前記基地局へモノのインターネット（ＩｏＴ）通信を送ることを容易にするために送られる、
［Ｃ１］に記載の方法。
［Ｃ１５］
基地局を動作させる方法であって、
デバイスからランダムアクセスについての要求を受信するために、時間および周波数リソースの所定のセットをモニタすることと、
複数の信号フォーマットの中から前記要求の信号フォーマットを決定すること、前記複数の信号フォーマットの各々は、複数のコーディングおよび変調スキームのうちのそれぞれのコーディングおよび変調スキームに対応する、と、
前記決定された信号フォーマットに基づいて前記要求を復元することと
を備える、方法。
［Ｃ１６］
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づく、
［Ｃ１５］に記載の方法。
［Ｃ１７］
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記方法は、前記決定された信号フォーマットに基づいて前記要求を復号することをさらに備える、
［Ｃ１６］に記載の方法。
［Ｃ１８］
前記複数の信号フォーマットのうちの少なくとも２つを使用して前記要求を復号することをさらに備え、前記要求の前記信号フォーマットは、前記要求を正常に復号する前記複数の信号フォーマットのうちの前記少なくとも２つのうちの１つによって決定される、
［Ｃ１６］に記載の方法。
［Ｃ１９］
前記信号フォーマットは、少なくとも、前記要求が受信される時間、または前記要求が受信されるキャリア周波数に基づいて決定される、
［Ｃ１５］に記載の方法。
［Ｃ２０］
前記受信された要求は、既知のプリアンブルで開始する、
［Ｃ１５］に記載の方法。
［Ｃ２１］
前記既知のプリアンブルは、前記複数の信号フォーマットに共通である、
［Ｃ２０］に記載の方法。
［Ｃ２２］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ１５］に記載の方法。
［Ｃ２３］
ワイヤレス通信のための装置であって、
メモリと、
前記メモリに結合された少なくとも１つのプロセッサと
を備え、前記少なくとも１つのプロセッサは、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を行うように構成された、装置。
［Ｃ２４］
前記複数の信号フォーマットの各々は、重複しない時間および周波数リソースの所定のセットにさらに対応し、
前記少なくとも１つのプロセッサは、前記選択された信号フォーマットに対応する重複しない時間および周波数リソースの前記所定のセットから時間および周波数リソースを選択するようにさらに構成され、
前記要求を送ることは、前記選択された時間および周波数リソースを使用してランダムアクセスについての前記要求を送ることを備える、
［Ｃ２３］に記載の装置。
［Ｃ２５］
前記少なくとも１つのプロセッサは、
前記基地局から信号を受信することと、
前記信号から割振り制御メッセージを復元すること、ここにおいて、前記割振り制御メッセージは、重複しない時間および周波数リソースの前記所定のセットに対応する前記信号フォーマットを指定する、と
を行うようにさらに構成された、［Ｃ２４］に記載の装置。
［Ｃ２６］
前記複数の信号フォーマットは、時間および周波数リソースの所定のセットにさらに対応し、
前記少なくとも１つのプロセッサは、時間および周波数リソースの前記所定のセットから時間および周波数リソースを選択するようにさらに構成され、
前記要求を送ることは、前記選択された時間および周波数リソースを使用してランダムアクセスについての前記要求を送ることを備える、
［Ｃ２３］に記載の装置。
［Ｃ２７］
前記少なくとも１つのプロセッサは、前記デバイスと前記基地局との間の経路損失を決定するようにさらに構成され、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
［Ｃ２３］に記載の装置。
［Ｃ２８］
前記信号フォーマットの前記選択は、前記デバイスの送信電力能力に基づく前記信号フォーマットの選択をさらに備える、
［Ｃ２７］に記載の装置。
［Ｃ２９］
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
［Ｃ２７］に記載の装置。
［Ｃ３０］
前記少なくとも１つのプロセッサは、ランダムアクセスについての後続の要求を容易にするために、前記決定された経路損失を前記デバイスにおいて記憶するようにさらに構成された、
［Ｃ２７］に記載の装置。
［Ｃ３１］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ２３］に記載の装置。
［Ｃ３２］
前記信号フォーマットは、前記選択された信号フォーマットに対応する前記コーディングおよび変調スキームのロバストネスが、前記装置と基地局との間の経路損失に相応するように、選択される、
［Ｃ２３］に記載の装置。
［Ｃ３３］
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
［Ｃ３２］に記載の装置。
［Ｃ３４］
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
［Ｃ３２］に記載の装置。
［Ｃ３５］
前記少なくとも１つのプロセッサは、ランダムアクセスについての後続の要求を容易にするために、前記選択された信号フォーマットを記憶するようにさらに構成された、
［Ｃ２３］に記載の装置。
［Ｃ３６］
ランダムアクセスについての前記要求は、前記基地局へモノのインターネット（ＩｏＴ）通信を送ることを容易にするために送られる、
［Ｃ２３］に記載の装置。
［Ｃ３７］
ワイヤレス通信のための装置であって、
メモリと、
前記メモリに結合された少なくとも１つのプロセッサと
を備え、前記少なくとも１つのプロセッサは、
デバイスからランダムアクセスについての要求を受信するために、時間および周波数リソースの所定のセットをモニタすることと、
複数の信号フォーマットの中から前記要求の信号フォーマットを決定することと、前記複数の信号フォーマットの各々は、複数のコーディングおよび変調スキームのうちのそれぞれのコーディングおよび変調スキームに対応する、
前記決定された信号フォーマットに基づいて前記要求を復元することと
を行うように構成された、装置。
［Ｃ３８］
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づく、
［Ｃ３７］に記載の装置。
［Ｃ３９］
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記少なくとも１つのプロセッサは、前記決定された信号フォーマットに基づいて前記要求を復号するようにさらに構成された、
［Ｃ３８］に記載の装置。
［Ｃ４０］
前記少なくとも１つのプロセッサは、前記複数の信号フォーマットのうちの少なくとも２つを使用して前記要求を復号するようにさらに構成され、前記要求の前記信号フォーマットは、前記要求を正常に復号する前記複数の信号フォーマットのうちの前記少なくとも２つのうちの１つによって決定される、
［Ｃ３８］に記載の装置。
［Ｃ４１］
前記信号フォーマットは、少なくとも、前記要求が受信される時間、または前記要求が受信されるキャリア周波数に基づいて決定される、
［Ｃ３７］に記載の装置。
［Ｃ４２］
前記受信された要求は、既知のプリアンブルで開始する、
［Ｃ３７］に記載の装置。
［Ｃ４３］
前記既知のプリアンブルは、前記複数の信号フォーマットに共通である、
［Ｃ４２］に記載の装置。
［Ｃ４４］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ３７］に記載の装置。
［Ｃ４５］
デバイスであって、
複数の信号フォーマットから信号フォーマットを選択するための手段、前記複数の信号フォーマットの各々が、複数のコーディングおよび変調スキームのうちのそれぞれのコーディングおよび変調スキームに対応する、と、
前記選択された信号フォーマットに従って基地局にランダムアクセスについての要求を送るための手段と
を備えるデバイス。
［Ｃ４６］
前記複数の信号フォーマットの各々は、重複しない時間および周波数リソースの所定のセットにさらに対応し、
前記方法は、前記選択された信号フォーマットに対応する重複しない時間および周波数リソースの前記所定のセットから時間および周波数リソースを選択することをさらに備え、
前記要求を送ることは、前記選択された時間および周波数リソースを使用してランダムアクセスについての前記要求を送ることを備える、
［Ｃ４５］に記載のデバイス。
［Ｃ４７］
前記基地局から信号を受信することと、
前記信号から割振り制御メッセージを復元すること、前記割振り制御メッセージは、重複しない時間および周波数リソースの前記所定のセットに対応する前記信号フォーマットを指定する、と、
をさらに備える、［Ｃ４６］に記載のデバイス。
［Ｃ４８］
前記複数の信号フォーマットは、時間および周波数リソースの所定のセットにさらに対応し、
前記方法は、時間および周波数リソースの前記所定のセットから時間および周波数リソースを選択することをさらに備え、
前記要求を送ることは、前記選択された時間および周波数リソースを使用してランダムアクセスについての前記要求を送ることを備える、
［Ｃ４５］に記載のデバイス。
［Ｃ４９］
前記デバイスと前記基地局との間の経路損失を決定することをさらに備え、
前記複数の信号フォーマットの各々は、所定の周波数帯域幅にさらに対応し、
それぞれの持続時間は、前記複数の信号フォーマットの各々に対応する前記それぞれのコーディングおよび変調スキームに基づき、
前記信号フォーマットを前記選択することは、前記経路損失に基づいて前記信号フォーマットを選択することを備える、
［Ｃ４５］に記載のデバイス。
［Ｃ５０］
前記信号フォーマットを前記選択することは、前記デバイスの送信電力能力に基づいて前記信号フォーマットを選択することをさらに備える、
［Ｃ４９］に記載のデバイス。
［Ｃ５１］
前記複数の信号フォーマットは、直交周波数分割多元接続（ＯＦＤＭＡ）信号またはシングルキャリア周波数分割多元接続（ＳＣ−ＦＤＭＡ）信号のためのものであり、
前記それぞれの持続時間は、所定の数のシンボルに対応し、
前記所定の周波数帯域幅は、所定の数のサブキャリアに対応する、
［Ｃ４９］に記載のデバイス。
［Ｃ５２］
ランダムアクセスについての後続の要求を容易にするために、前記決定された経路損失を前記デバイスにおいて記憶することをさらに備える、
［Ｃ４９］に記載のデバイス。
［Ｃ５３］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ４９］に記載のデバイス。
［Ｃ５４］
前記信号フォーマットは、前記選択された信号フォーマットに対応する前記コーディングおよび変調スキームのロバストネスが、前記デバイスと前記基地局との間の前記経路損失に相応するように、選択される、
［Ｃ５３］に記載のデバイス。
［Ｃ５５］
前記信号フォーマットはさらに、前記経路損失がしきい値よりも小さい場合、前記選択された信号フォーマットに対応する前記コーディングおよび変調スキームが、前記複数の信号フォーマットのうちの第２の信号フォーマットに対応する前記コーディングおよび変調スキームよりもロバストでないように、選択される、
［Ｃ５４］に記載のデバイス。
［Ｃ５６］
前記信号フォーマットはさらに、前記経路損失がしきい値よりも大きい場合、前記選択された信号フォーマットに対応する前記コーディングおよび変調スキームが、前記複数の信号フォーマットのうちの第２の信号フォーマットに対応する前記コーディングおよび変調スキームよりもロバストであるように、選択される、
［Ｃ５４］に記載のデバイス。
［Ｃ５７］
ランダムアクセスについての後続の要求を容易にするために、前記選択された信号フォーマットを記憶することをさらに備える、
［Ｃ４５］に記載のデバイス。
［Ｃ５８］
ランダムアクセスについての前記要求は、前記基地局へモノのインターネット（ＩｏＴ）通信を送ることを容易にするために送られる、
［Ｃ４５］に記載のデバイス。
［Ｃ５９］
デバイスからランダムアクセスについての要求を受信するために、時間および周波数リソースの所定のセットをモニタするための手段と、
複数の信号フォーマットの中から前記要求の信号フォーマットを決定するための手段と、前記複数の信号フォーマットの各々が、複数のコーディングおよび変調スキームのうちのそれぞれのコーディングおよび変調スキームに対応する、
前記決定された信号フォーマットに基づいて前記要求を復元するための手段と
を備える、基地局。
［Ｃ６０］
前記複数の信号フォーマットの各々は、所定の周波数帯域幅にさらに対応し、
ここにおいて、それぞれの持続時間が、前記複数の信号フォーマットの各々に対応する前記それぞれのコーディングおよび変調スキームに基づく、
［Ｃ５９］に記載の基地局。
［Ｃ６１］
前記複数の信号フォーマットの各々は、時間および周波数リソースの前記所定のセットのうちの所定の重複しないサブセットにさらに対応し、
前記要求の前記信号フォーマットは、モニタされた前記所定の重複しないサブセットから決定され、
前記基地局が、前記決定された信号フォーマットに基づいて前記要求を復号するための手段をさらに備える、
［Ｃ６０］に記載の基地局。
［Ｃ６２］
前記複数の信号フォーマットのうちの少なくとも２つを使用して前記要求を復号するための手段をさらに備え、前記要求の前記信号フォーマットは、前記要求を正常に復号する前記複数の信号フォーマットのうちの前記少なくとも２つのうちの１つによって決定される、
［Ｃ６０］に記載の基地局。
［Ｃ６３］
前記信号フォーマットは、少なくとも、前記要求が受信される時間、または前記要求が受信されるキャリア周波数に基づいて決定される、
［Ｃ５９］に記載の基地局。
［Ｃ６４］
前記受信された要求は、既知のプリアンブルで開始する、
［Ｃ５９］に記載の基地局。
［Ｃ６５］
前記既知のプリアンブルは、前記複数の信号フォーマットに共通である、
［Ｃ６４］に記載の基地局。
［Ｃ６６］
前記複数の信号フォーマットのうちの第１の信号フォーマットに対応する前記コーディングおよび変調スキームと、前記複数の信号フォーマットのうちの第２の信号フォーマットに対応する前記コーディングおよび変調スキームとは、互いに異なる、
［Ｃ５９］に記載の基地局。
［Ｃ６７］
デバイスを動作させるためのコンピュータ実行可能コードを記憶するコンピュータ可読媒体であって、
複数の信号フォーマットから信号フォーマットを選択すること、前記複数の信号フォーマットの各々は、複数のコーディングおよび変調スキームのうちのそれぞれのコーディングおよび変調スキームに対応する、と、
前記選択された信号フォーマットに従って基地局にランダムアクセスについての要求を送ることと
を行うためのコードを備える、コンピュータ可読媒体。
［Ｃ６８］
基地局を動作させるためのコンピュータ実行可能コードを記憶するコンピュータ可読媒体であって、
デバイスからランダムアクセスについての要求を受信するために、時間および周波数リソースの所定のセットをモニタすることと、
複数の信号フォーマットの中から前記要求の信号フォーマットを決定すること、前記複数の信号フォーマットの各々は、複数のコーディングおよび変調スキームのうちのそれぞれのコーディングおよび変調スキームに対応する、と、
前記決定された信号フォーマットに基づいて前記要求を復元することと
を行うためのコードを備える、コンピュータ可読媒体。
【外国語明細書】
2020167704000001.pdf